(57)【要約】【課題】受信したＦＡＸ文書の出力に失敗した場合に、受信者が再出力を容易に行えるようにする。【解決手段】ＦＡＸ文書を受信可能な画像形成装置であって、ＦＡＸ文書を受信する受信部と、受信部により受信されたＦＡＸ文書を複数の出力動作のうち指定された出力動作により出力する出力制御部と、複数の出力動作からＦＡＸ文書の出力に用いる出力動作を指定するための指定画面を表示する表示制御部と、を備える。表示制御部は、指定された出力動作によるＦＡＸ文書の出力が失敗した場合に、複数の出力動作のうち指定された出力動作に対する指定を制限するための表示を含む指定画面を表示する。【選択図】図３
2019165341.tif 000002
【特許請求の範囲】
【請求項１】
ＦＡＸ文書を受信可能な画像形成装置であって、
前記ＦＡＸ文書を受信する受信部と、
前記受信部により受信された前記ＦＡＸ文書を複数の出力動作のうち指定された出力動作により出力する出力制御部と、
前記複数の出力動作から前記ＦＡＸ文書の出力に用いる出力動作を指定するための指定画面を表示する表示制御部と、
を備え、
前記表示制御部は、
前記指定された出力動作による前記ＦＡＸ文書の出力が失敗した場合に、前記複数の出力動作のうち該指定された出力動作に対する指定を制限するための表示を含む前記指定画面を表示する
画像形成装置。
【請求項２】
前記表示制御部は、
前記指定された出力動作による前記ＦＡＸ文書の出力が失敗した場合に、前記指定画面に含まれる、前記複数の出力動作のうち該指定された出力動作を指定する設定項目をグレーアウト表示させる
請求項１に記載の画像形成装置。
【請求項３】
前記表示制御部は、
前記指定された出力動作による前記ＦＡＸ文書の出力が失敗した場合に、前記指定画面に対して、該指定された出力動作による該出力が失敗した旨を示すメッセージを表示する
請求項１に記載の画像形成装置。
【請求項４】
前記表示制御部は、
前記複数の出力動作から１以上の出力動作を指定可能な前記指定画面を表示する
請求項１乃至請求項３の何れか１項に記載の画像形成装置。
【請求項５】
前記複数の出力動作による前記ＦＡＸ文書の出力先を該複数の出力動作毎に管理する出力先管理部をさらに備え、
前記表示制御部は、
前記指定画面において、前記複数の出力動作毎に１以上の前記出力先を選択可能とされ、
前記指定された出力動作による前記ＦＡＸ文書の出力が、該指定された出力動作に対して選択された全ての前記出力先において失敗した場合に、前記指定画面に対して、該出力動作に対する指定を制限するための表示を含む前記指定画面を表示する
請求項１乃至請求項４の何れか１項に記載の画像形成装置。
【請求項６】
前記表示制御部は、
前記指定された出力動作による前記ＦＡＸ文書の出力が、該指定された出力動作に対して選択された全ての前記出力先のうち一部の出力先において失敗した場合に、前記指定画面に対して、該一部の出力先に対する指定を制限するための表示を含む前記指定画面を表示する
請求項５に記載の画像形成装置。
【請求項７】
前記表示制御部は、
前記指定された出力動作による前記ＦＡＸ文書の出力が、該指定された出力動作に対して１のみが選択された前記出力先において失敗した場合に、前記指定画面に対して、該出力先に対する指定を制限するための表示を含む前記指定画面を表示する
請求項５または請求項６に記載の画像形成装置。
【請求項８】
ＦＡＸ文書を受信可能な画像形成装置の制御方法であって、
前記ＦＡＸ文書を受信する受信ステップと、
前記受信ステップにより受信された前記ＦＡＸ文書を複数の出力動作のうち指定された出力動作により出力する出力制御ステップと、
前記複数の出力動作から前記ＦＡＸ文書の出力に用いる出力動作を指定するための指定画面を表示する表示制御ステップと、
を有し、
前記表示制御ステップは、
前記指定された出力動作による前記ＦＡＸ文書の出力が失敗した場合に、前記複数の出力動作のうち該指定された出力動作に対する指定を制限するための表示を含む前記指定画面を表示する
画像形成装置の制御方法。
【請求項９】
ＦＡＸ文書を受信可能な画像形成装置に搭載されるコンピュータに実行させるためのプログラムであって、
前記ＦＡＸ文書を受信する受信ステップと、
前記受信ステップにより受信された前記ＦＡＸ文書を複数の出力動作のうち指定された出力動作により出力する出力制御ステップと、
前記複数の出力動作から前記ＦＡＸ文書の出力に用いる出力動作を指定するための指定画面を表示する表示制御ステップと、
を前記コンピュータに実行させ、
前記表示制御ステップは、
前記指定された出力動作による前記ＦＡＸ文書の出力が失敗した場合に、前記複数の出力動作のうち該指定された出力動作に対する指定を制限するための表示を含む前記指定画面を表示する
ためのプログラム。
【発明の詳細な説明】
【技術分野】
【０００１】
本発明は、画像形成装置、画像形成装置の制御方法およびプログラムに関する。
【背景技術】
【０００２】
従来から、ＦＡＸ（ファクシミリ）通信は、受発注業務などに多く利用されている。利用者の業務に多大な影響を与える可能性があるため、受信したＦＡＸ文書を何の痕跡も残さずに消去してしまうことは、あってはならない。そのため、受信したＦＡＸ文書は、基本的には、利用者の設定に基づく何らかの出力動作（印刷、配信、転送など）を行った上で消去する。また、受信したＦＡＸ文書を揮発性メモリ上に保存するような構成であった場合で、機器が長時間電源オフになっているなどの理由により、当該揮発性メモリ上からＦＡＸ文書が失われてしまう事態が起こり得る。そのため、受信したＦＡＸ文書を消去したことを示すレポートを印刷することで、利用者に文書消失の発生を通知するような技術が、既に知られている。
【０００３】
特許文献１には、複合機が受信したＦＡＸデータの印刷を実行し、ＦＡＸデータが記憶されている記憶時間、または、ＦＡＸデータを記憶する記憶装置の容量に対する削除条件を満たした場合に、ＦＡＸデータを削除するようにした技術が開示されている。
【発明の概要】
【発明が解決しようとする課題】
【０００４】
従来から、受信したＦＡＸ文書の出力に失敗した場合、文書は削除せずに出力が完了するまでリトライを繰り返す技術が知られている。しかしながら、従来技術では、ＦＡＸ受信時と同一の手段でリトライを繰り返すため、出力に失敗する要因が解消されない限りは再出力が完了しないという問題点があった。また、ユーザが再出力を行った場合であっても再出力が完了しない可能性があり、再出力のためにユーザが適切な対処を取ることも難しいという問題点があった。
【０００５】
本発明は、上記に鑑みてなされたものであって、受信したＦＡＸ文書の出力に失敗した場合に、ユーザが再出力を容易に行えるようにすることを目的とする
【課題を解決するための手段】
【０００６】
上述した課題を解決し、目的を達成するために、本発明は、ＦＡＸ文書を受信可能な画像形成装置であって、ＦＡＸ文書を受信する受信部と、受信部により受信されたＦＡＸ文書を複数の出力動作のうち指定された出力動作により出力する出力制御部と、複数の出力動作からＦＡＸ文書の出力に用いる出力動作を指定するための指定画面を表示する表示制御部と、を備え、表示制御部は、指定された出力動作によるＦＡＸ文書の出力が失敗した場合に、複数の出力動作のうち指定された出力動作に対する指定を制限するための表示を含む指定画面を表示する。
【発明の効果】
【０００７】
本発明によれば、受信したＦＡＸ文書の出力に失敗した場合に、受信者が再出力を容易に行えるようになるという効果を奏する。
【図面の簡単な説明】
【０００８】
【図１】図１は、実施形態に適用可能なシステム構成の例を示す図である。
【図２】図２は、実施形態に適用可能なＭＦＰのハードウェア構成の例を示すブロック図である。
【図３】図３は、実施形態に係るＭＦＰの機能を説明するための一例の機能ブロック図である。
【図４】図４は、実施形態に適用可能な、ＦＡＸ通信の手順の例を示すシーケンス図である。
【図５】図５は、実施形態に係るにおける、ＦＡＸ文書の受信時の動作の設定を行う受信動作設定処理を示す一例のフローチャートである。
【図６】図６は、実施形態に適用可能な、受信動作設定を行うための受信動作設定画面の例を示す図である。
【図７】図７は、実施形態に適用可能な転送先設定画面の例を示す図である。
【図８】図８は、実施形態に適用可能な、転送先を指定するための転送先指定画面の例を示す図である。
【図９】図９は、実施形態に係る、ＦＡＸ文書の受信時の動作を示す一例のフローチャートである。
【図１０】図１０は、実施形態に適用可能な受信結果表示画面の例を示す図である。
【図１１】図１１は、実施形態に係る、受信結果表示画面において再出力ボタンが操作された場合の処理を示す一例のフローチャートである。
【図１２】図１２は、実施形態に係る再出力動作設定画面の例を示す図である。
【図１３】図１３は、実施形態に係る、再出力動作設定時の転送先設定画面の例を示す図である。
【図１４】図１４は、実施形態の変形例に係る転送先指定画面の例を示す図である。
【図１５】図１５は、実施形態の変形例に係る再出力動作設定画面の例を示す図である。
【発明を実施するための形態】
【０００９】
［実施形態の概要］
以下に添付図面を参照して、画像形成装置、画像形成装置の制御方法およびプログラムの実施形態を詳細に説明する。図１は、実施形態に適用可能なシステム構成の例を示す図である。図１において、実施形態に係る画像形成装置としてのＭＦＰ(Multi  Function  Printer)２０は、少なくともＦＡＸ機能を含み、さらに、印刷機能、スキャナ機能、複写機能といった複数の機能を１の筐体で実現した複合機である。
【００１０】
ＭＦＰ２０は、公衆回線網１０を介してＦＡＸ送信機３０およびＦＡＸ受信機３１と接続される。また、ＭＦＰ２０は、ネットワークを介して他の情報処理装置と接続することができる。図１の例では、ＭＦＰ２０は、例えばインターネット１１を介してパーソナルコンピュータ（ＰＣ）４０と接続される。また例えば、ＭＦＰ２０は、ＬＡＮ(Local  Area  Network)などのローカルなネットワーク１２を介してファイルサーバ４１と接続される。また、ＭＦＰ２０は、例えばハードディスクドライブやフラッシュメモリといった不揮発性の記憶バイであるストレージ２３が接続される。
【００１１】
なお、本実施形態においては、ＭＦＰ２０とＦＡＸ送信機３０との接続は必須であるが、ＦＡＸ受信機３１や、ＰＣ４０およびファイルサーバ４１とＭＦＰ２０との接続は、省略できる。
【００１２】
このような構成において、ＭＦＰ２０は、ＦＡＸ送信機３０から送信されたＦＡＸ文書を受信し、受信したＦＡＸ文書を印刷機能を用いて印刷することができる。ＭＦＰ２０は、また、受信したＦＡＸ文書を、ストレージ２３、ＦＡＸ受信機３１、ＰＣ４０およびファイルサーバ４１のうち、指定された転送先に転送することができ、転送が失敗した場合には、リトライを実行する。
【００１３】
さらに、実施形態に係るＭＦＰ２０は、転送およびそのリトライに失敗した場合に、転送に失敗したＦＡＸ文書を記憶すると共に、転送に失敗した転送先を記憶する。実施形態に係るＭＦＰ２０は、後のユーザ操作に応じて、転送に失敗したＦＡＸ文書の再転送を実行する際に、再転送の転送先を、転送に失敗した転送先を除いた転送先から指定できるようにしている。
【００１４】
［実施形態に適用可能な構成］
次に、実施形態に適用可能な構成について説明する。図２は、実施形態に適用可能なＭＦＰ２０のハードウェア構成の例を示すブロック図である。図２において、実施形態に係る画像形成装置としてのＭＦＰ２０は、本体部２１に、ＣＰＵ(Central  Processing  Unit)２１００と、ＲＯＭ(Read  Only  Memory)２１０１と、ＲＡＭ(Random  Access  Memory)２１０２と、外部Ｉ／Ｆ（インタフェース）２１０３と、操作部Ｉ／Ｆ２１０４と、通信Ｉ／Ｆ２１０５と、ストレージ２１２０とを備える。さらに、ＭＦＰ２０は、ＭＦＰ２０の各機能を実行するための構成を備える。
【００１５】
ストレージ２１２０は、データを不揮発に記憶する記憶媒体であって、ハードディスクドライブやフラッシュメモリを適用できる。ストレージ２１２０は、ＣＰＵ２１００が動作するためのプログラムやデータが記憶される。また、ストレージ２１２０は、このＭＦＰ２０において所定の機能を実現するためのアプリケーションプログラム（以下、アプリと略称する）を記憶しておくことができる。図１に示したストレージ２３は、このストレージ２１２０を適用することができる。
【００１６】
ＭＦＰ２０がプリンタ機能、コピー機能、スキャナ機能およびＦＡＸ機能を有するこの例では、ＭＦＰ２０は、各機能を実行するための構成として、画像処理・エンジン制御部２１３０と、スキャナユニット２１３１と、プリンタユニット２１３２と、ＦＡＸユニット２１３３とを有する。また、ＭＦＰ２０が有する上述した各部は、バス２１１０および２１１１により互いに通信可能に接続されている。
【００１７】
ＣＰＵ２１００は、例えば、ＲＯＭ２１０１やストレージ２１２０に予め記憶されたプログラムに従い、ＲＡＭ２１０２をワークメモリとして用い、このＭＦＰ２０の全体の動作を制御する。
【００１８】
操作部Ｉ／Ｆ２１０４は、オペレーションパネル（ＯＰ）２２が接続されるためのインタフェースである。ＯＰ２２は、ユーザ操作を受け付ける入力受付部と、ユーザに情報を提示するための表示部を含む操作部としての操作パネルを備える。ＯＰ２２からユーザ操作に応じて出力された信号は、操作部Ｉ／Ｆ２１０４を介してＣＰＵ２１００に供給される。
【００１９】
通信Ｉ／Ｆ２１０５は、ＣＰＵ２１００の指示に従い、インターネット１１およびネットワーク１２に対する通信を制御する。例えば、ＭＦＰ２０に受信されたＦＡＸ文書は、通信Ｉ／Ｆ２１０５からインターネット１１やネットワーク１２を介して、指定された転送先（ＰＣ４０、ファイルサーバ４１）に転送される。外部Ｉ／Ｆ２１０３は、例えばＵＳＢ(Universal  Serial  Bus)インタフェースといった、外部機器を接続するためのインタフェースである。
【００２０】
スキャナユニット２１３１は、ＣＩＳ(Contact  Image  Sensor)といった光センサを用いて原稿台にセットされた原稿の画像をスキャンして読み取り、画像データを出力する。プリンタユニット２１３２は、インクジェット方式や電子写真方式といった画像形成方式を用いて、画像データに基づき媒体に画像を形成する。ＦＡＸユニット２１３３は、公衆回線網１０を介してＦＡＸ文書の通信を行う。
【００２１】
画像処理・エンジン制御部２１３０は、ＣＰＵ２１００の指示に従いスキャナユニット２１３１およびプリンタユニット２１３２の動作を制御する。また、画像処理・エンジン制御部２１３０は、ＣＰＵ２１００の指示に従い、スキャナユニット２１３１で読み取られた画像データに所定の画像処理を施してバス２１１１に対して出力する。さらに、画像処理・エンジン制御部２１３０は、バス２１１１を介して供給された画像データに所定の画像処理を施してプリンタユニット２１３２に供給する。ＦＡＸユニット２１３３は、公衆回線網１０に接続され、ＣＰＵ２１００の指示に従い、バス２１１１を介して供給された画像データ（ＦＡＸ文書）のＦＡＸ送信処理と、公衆回線網１０を介して送信されたＦＡＸ文書の受信処理と、を行う。
【００２２】
図３は、実施形態に係るＭＦＰ２０の機能を説明するための一例の機能ブロック図である。図３において、ＭＦＰ２０は、ＦＡＸ通信部２００と、出力制御部２０１と、出力部２０２と、ＵＩ部２０３と、出力先情報管理部２０４と、文書管理部２０５と、を含む。
【００２３】
これらＦＡＸ通信部２００、出力制御部２０１、出力部２０２、ＵＩ部２０３、出力先情報管理部２０４および文書管理部２０５は、ＣＰＵ２１００上で動作するプログラムにより実現される。これに限らず、これらＦＡＸ通信部２００、出力制御部２０１、出力部２０２、ＵＩ部２０３、出力先情報管理部２０４および文書管理部２０５のうち一部または全部を、互いに協働して動作するハードウェア回路により構成してもよい。
【００２４】
ＦＡＸ通信部２００は、公衆回線網１０を介したＦＡＸ通信を行う。出力制御部２０１は、ＦＡＸ通信部２００により受信されたＦＡＸ文書の出力制御を行う。
【００２５】
出力部２０２は、出力制御部２０１の制御に従い、指定された出力動作によりＦＡＸ文書を出力する。例えば、出力部２０２は、画像処理・エンジン制御部２１３０に対して、ＦＡＸ文書をプリンタユニット２１３２により印刷するように要求することができる。また、出力部２０２は、ＦＡＸ文書を、指定された電話番号に応じて、公衆回線網１０を介してＦＡＸ受信機３１に転送できる。また、出力部２０２は、ＦＡＸ文書を、ストレージ２３の、指定されたフォルダに転送することができる。さらに、出力部２０２は、ＦＡＸ文書を、指定されたメールアドレスに従い、インターネット１１に接続されるＰＣ４０や、ネットワーク１２に接続されるファイルサーバ４１に送信することができる。さらにまた、出力部２０２は、ＦＡＸ文書を、ストレージ２３の所定のフォルダに転送することができる。
【００２６】
出力制御部２０１は、出力部２０２によるＦＡＸ文書の出力結果（出力成功／失敗）を示す情報を、出力を行った出力動作を示す情報と関連付けて、ストレージ２１２０やＲＡＭ２１０２に記憶する。
【００２７】
ＵＩ部２０３は、ＯＰ２２の機能を実現するもので、ＭＦＰ２０に対するユーザによる操作入力を受け付ける。また、ＵＩ部２０３は、ユーザに対して所定の画面を表示するための表示情報を生成する表示制御部として機能する。
【００２８】
出力先情報管理部２０４は、出力部２０２がＦＡＸ文書を出力する出力先の情報を管理する。表１は、出力先情報管理部２０４が出力先を管理するテーブルであるアドレス帳の例を示す。
【００２９】
【表１】
2019165341.tif 000003
【００３０】
表１の例では、アドレス帳は、連番の登録番号に対して、メールアドレス、ＦＡＸ番号およびフォルダパスの複数の出力先を登録することができる。これらのうち、フォルダパスは、例えばネットワーク１２を介して接続されるファイルサーバ４１上のフォルダを登録できる。例えば、ネットワーク１２がＴＣＰ／ＩＰ(Transmission  Control  Protocol/Internet  Protocol)に準拠している場合、ＩＰ(Internet  Protocol)アドレスを用いてファイルサーバ４１上のフォルダを登録できる。また、メールアドレスは、例えばインターネット１１を介してＰＣ４０にＦＡＸ文書を転送するために用いられる。
【００３１】
文書管理部２０５は、ＦＡＸ通信部２００に受信されたＦＡＸ文書の管理を行う。例えば、文書管理部２０５は、受信されたＦＡＸ文書を、ストレージ２１２０に記憶する。また例えば、文書管理部２０５は、ストレージ２１２０に記憶されるＦＡＸ文書を、ストレージ２１２０から消去する。
【００３２】
ＭＦＰ２０における実施形態に係る各機能を実現するためのプログラムは、インストール可能な形式または実行可能な形式のファイルでＣＤ(Compact  Disk)、フレキシブルディスク（ＦＤ）、ＤＶＤ(Digital  Versatile  Disk)などのコンピュータで読み取り可能な記録媒体に記録して提供される。これに限らず、当該プログラムを、インターネット１１やネットワーク１２などのネットワークに接続されたコンピュータ上に格納し、当該ネットワークを介してダウンロードさせることにより提供してもよい。また、当該プログラムをインターネット１１などのネットワークを経由して提供または配布するように構成してもよい。
【００３３】
当該プログラムは、ＦＡＸ通信部２００、出力制御部２０１、出力部２０２、ＵＩ部２０３、出力先情報管理部２０４および文書管理部２０５を含むモジュール構成となっている。実際のハードウェアとしては、ＣＰＵ２１００がストレージ２１２０などの記憶媒体から当該プログラムを読み出して実行することにより、上述した各部がＲＡＭ２１０２などの主記憶装置上にロードされ、ＦＡＸ通信部２００、出力制御部２０１、出力部２０２、ＵＩ部２０３、出力先情報管理部２０４および文書管理部２０５が主記憶装置上に生成されるようになっている。
【００３４】
［ＦＡＸ通信の概略］
次に、実施形態に適用可能な、既存技術によるＦＡＸ通信の手順について、図４を用いて概略的に説明する。図４は、実施形態に適用可能な、ＦＡＸ通信の手順の例を示すシーケンス図である。それぞれＦＡＸ通信機能を有する送信側機器５０と、受信側機器５１とが公衆回線網１０により接続される。図１の例では、送信側機器５０としてＦＡＸ送信機３０を、受信側機器５１としてＭＦＰ２０を、それぞれ適用できる。
【００３５】
ステップＳ１０で、送信側機器５０から受信側機器５１に対して、呼接続が要求され、この要求に応じて、送信側機器５０と受信側機器５１との間で、既知の手順に従い呼接続が確立される。
【００３６】
次のステップＳ１１で、送信側機器５０と受信側機器５１との間で、互いの通信仕様が送受信されて能力交換が行われる。次のステップＳ１２で、送信側機器５０から受信側機器５１に対して、ＦＡＸ文書として送信する原稿の１ページの情報が送信される。１ページ分の送信が終了すると、送信側機器５０は、受信側機器５１に対して、１ページの送信が終了した旨を通知する（ステップＳ１２）。受信側機器５１は、この通知に応じて、受信したページ数をカウントする（ステップＳ１４）。受信側機器５１は、受信された１ページ分の情報を確認し、正常に受信された場合、その旨を示す受信結果を送信側機器１５に送信する（ステップＳ１５）。
【００３７】
以上の、ステップＳ１１〜ステップＳ１５の手順が、送信側機器５０による原稿の１ページの送信毎に実施される。なお、ステップＳ１１の能力交換の手順は、２ページ以降の手順では省略できる。
【００３８】
送信側機器５０から受信側機器５１に対して、呼終了が通知されるか、あるいは、通信の無い状態が所定時間以上経過する（タイムアウト）と、送信側機器５０と受信側機器５１との間のＦＡＸ通信が終了される。受信側機器５１は、ステップＳ１４のページ数のカウントにより、送信側機器５０から送信された原稿の総ページ数を知ることができる。
【００３９】
［実施形態に係る処理の詳細］
次に、実施形態に係る処理について、より詳細に説明する。図５は、実施形態に係るＭＦＰ２０における、ＦＡＸ文書の受信時の動作の設定を行う受信動作設定処理を示す一例のフローチャートである。この図５のフローチャートによる処理に先立って、ＭＦＰ２０は、ＵＩ部２０３により、例えばユーザによるＯＰ２２の操作パネルに対する所定の操作に応じて、受信動作設定を行うための設定画面を、操作パネルに表示させる。
【００４０】
ＵＩ部２０３は、設定画面に対するユーザ操作に応じて受信時動作設定の指示を受け付ける（ステップＳ１００）。図６は、実施形態に適用可能な、受信動作設定を行うための受信動作設定画面の例を示す図である。図６において、受信動作設定画面３００は、ＦＡＸ文書の受信時の動作を設定するためのボタン３０００、３００１および３００２と、設定内容の決定およびキャンセルをそれぞれ指示するためのボタン３００３および３００４と、を含む。
【００４１】
ボタン３０００は、受信したＦＡＸ文書をＭＦＰ２０内の例えばストレージ２１２０に蓄積する動作を設定するためのボタンである。ボタン３００１は、受信したＦＡＸ文書をＭＦＰ２０の外部に転送する動作を設定するためのボタンである。ボタン３００２は、受信したＦＡＸ文書をＭＦＰ２０のプリンタユニット２１３２により印刷する動作を設定するためのボタンである。ボタン３００３および３００４は、それぞれ、この受信動作設定画面３００においてボタン３０００〜３００２により設定された内容を決定およびキャンセルするためのボタンである。
【００４２】
図５において、ステップＳ１０１で、ＵＩ部２０３は、ボタン３０００が操作され蓄積動作が指定されたか否かを判定する。ボタン３０００が操作されていないと判定した場合（ステップＳ１０１、「Ｎｏ」）、処理をステップＳ１０３に移行させる。一方、ＵＩ部２０３は、ボタン３０００が操作されたと判定した場合（ステップＳ１０１、「Ｙｅｓ」）、処理をステップＳ１０２に移行させ、ＯＰ２２の操作パネルに蓄積先指定画面を表示させる。蓄積先指定画面は、ＦＡＸ文書の蓄積のために予め登録された、ＭＦＰ２０内の蓄積先（例えばストレージ２１２０上のフォルダ）の一覧を含む画面である。ユーザは、蓄積先指定画面の表示に応じてＦＡＸ文書の蓄積先を指定する。ＵＩ部２０３は、蓄積先の指定が完了すると、ＯＰ２２の操作パネルの表示を、図６の受信動作設定画面３００に戻し、処理をステップＳ１０３に移行させる。
【００４３】
ステップＳ１０３で、ＵＩ部２０３は、ボタン３００１が操作され転送動作が指定されたか否かを判定する。ボタン３００１が操作されていないと判定した場合（ステップＳ１０３、「Ｎｏ」）、処理をステップＳ１０５に移行させる。一方、ＵＩ部２０３は、ボタン３００１が操作されたと判定した場合（ステップＳ１０３、「Ｙｅｓ」）、処理をステップＳ１０４に移行させ、ＯＰ２２の操作パネルに転送先設定画面を表示させる。
【００４４】
図７は、実施形態に適用可能な転送先設定画面の例を示す図である。図７において、転送先設定画面３１０は、転送先の設定を行うか否かを指定するためのボタン３１００および３１０１と、この転送先設定画面３１０における設定内容を決定およびキャンセルするためのボタン３１０３および３１０４と、が設けられる。ＵＩ部２０３は、ボタン３１００が操作されると、転送先を指定するためのボタン３１０２と、現在設定されている転送先が表示される転送先表示部３１０５と、を転送先設定画面３１０に表示させる。ＵＩ部２０３は、ボタン３１０１が操作された場合には、ボタン３１０２および転送先３１０５を表示させない。
【００４５】
ＵＩ部２０３は、転送先設定画面３１０においてボタン３１００が操作されると、出力先情報管理部２０４に管理されるアドレス帳を参照して、転送先を指定するための転送先指定画面を操作パネルに表示させる。
【００４６】
図８は、実施形態に適用可能な、転送先を指定するための転送先指定画面の例を示す図である。図８において、転送先指定画面３２０は、現在設定されている転送先が転送先表示部３２００に表示されると共に、アドレス帳に基づき登録番号毎に転送先が一覧表示される転送先指定部３２０１と、転送先の指定に係るボタン３２０２〜３２０４と、この転送先指定画面３２０における設定内容を取消および決定するためのボタン３２０５および３２０６と、が設けられる。
【００４７】
転送先指定部３２０１は、一覧表示される転送先を１または複数、指定できる。また、ＵＩ部２０３は、アドレス帳において、１の登録番号に複数の転送先が登録されている場合、例えば転送先指定部３２０１の当該登録番号に対する操作に応じて、プルダウンリストなどにより当該複数の転送先を一覧表示させ、これら複数の転送先から１または複数を指定可能とすることができる。
【００４８】
転送先指定画面３２０において、ボタン３２０２は、登録番号を直接的に指定するためのボタンである。また、ボタン３２０３は、検索条件を指定して転送先を検索するためのボタンである。指定された登録番号や検索された登録番号に複数の転送先が登録されている場合、上述と同様に、プルダウンリストなどにより当該複数の転送先を一覧表示させ、これら複数の転送先から１または複数を指定可能とすることができる。
【００４９】
ＵＩ部２０３は、転送先指定部３２０１、ならびに、ボタン３２０２および３２０３の操作に応じて指定された転送先を示す情報を、転送先表示部３２００に表示させる。ＵＩ部２０３は、複数の転送先が指定された場合、例えば転送先表示部３２００をプルダウンリストなどとし、当該複数の転送先を閲覧可能とする。ボタン３２０４は、転送先表示部３２００において指定された転送先の指定を解除するためのクリアボタンである。
【００５０】
ＵＩ部２０３は、ボタン３２０５および３２０６の操作に応じて、操作パネルの表示を受信動作設定画面３００に戻し、処理をステップＳ１０５に移行させる。このとき、ＵＩ部２０３は、ボタン３２０６が操作された場合には、転送先指定画面３２０において指定された内容を記憶し、ボタン３２０５が操作された場合には、当該指定内容を破棄する。
【００５１】
図５において、ステップＳ１０５で、ＵＩ部２０３は、ボタン３００２が操作され印刷動作が指定されたか否かを判定する。ボタン３００２が操作されていないと判定した場合（ステップＳ１０５、「Ｎｏ」）、処理をステップＳ１０７に移行させる。一方、ＵＩ部２０３は、ボタン３００２が操作されたと判定した場合（ステップＳ１０５、「Ｙｅｓ」）、処理をステップＳ１０６に移行させ、ＯＰ２２の操作パネルに、所定の印刷設定画面を表示させる。ＵＩ部２０３は、印刷設定画面における設定が終了すると、操作パネルの表示を受信動作設定画面３００に戻し、処理をステップＳ１０７に移行させる。
【００５２】
ステップＳ１０７で、ＵＩ部２０３は、転送先の指定操作が終了したか否かを判定する。ＵＩ部２０３は、受信動作設定画面３００においてボタン３００３および３００４の何れかが操作された場合に、転送先の指定操作が終了したと判定する。ＵＩ部２０３は、転送先の指定操作が終了していないと判定した場合（ステップＳ１０７、「Ｎｏ」）、処理をステップＳ１０１に戻す。一方、ＵＩ部２０３は、転送先の指定操作が終了したと判定した場合（ステップＳ１０７、「Ｙｅｓ」）、処理をステップＳ１０８に移行させる。
【００５３】
ボタン３００３の操作に応じてステップＳ１０８に移行した場合、ＵＩ部２０３は、上述のステップＳ１０１〜ステップＳ１０６での設定内容を、ＦＡＸ文書の受信時動作の設定情報として、ストレージ２１２０やＲＡＭ２１０２に記憶する。一方、ＵＩ部２０３は、ボタン３００４の操作に応じてステップＳ１０８に移行した場合には、ステップＳ１０１〜ステップＳ１０６での設定内容を破棄する。この場合、例えば受信動作設定画面３００を表示させる以前に設定されていた設定情報が有効とされる。
【００５４】
図９は、実施形態に係る、ＦＡＸ文書の受信時の動作を示す一例のフローチャートである。ステップＳ２００で、ＦＡＸ通信部２００によりＦＡＸ文書が受信される。ＦＡＸ文書の受信は、図４のシーケンス図を用いて説明した手順に従い、ＦＡＸ通信部２００を受信側機器５１として実行される。文書管理部２０５は、受信されたＦＡＸ文書を、例えばＲＡＭ２１０２あるいはストレージ２１２０に記憶する。また、ＦＡＸ通信部２００は、ＦＡＸ文書の受信に応じて、ジョブＮｏを設定し、設定したジョブＮｏをＦＡＸ文書と関連付けて記憶する。
【００５５】
ＦＡＸ文書の受信が終了すると、処理がステップＳ２０１に移行される。なお、上述したように、ＦＡＸ通信部２００は、受信されたＦＡＸ文書のページ数をカウントしており、受信終了時に、受信されたＦＡＸ文書の総ページ数を知ることができる。
【００５６】
次のステップＳ２０１で、出力制御部２０１は、図５のフローチャートの処理により設定された設定情報に従い出力先を決定する。次のステップＳ２０１で、出力制御部２０１は、出力部２０２に対して、設定情報に従った出力動作によりＦＡＸ文書の出力を行うように指示する。次のステップＳ２０３で、出力制御部２０１は、出力部２０２によるＦＡＸ文書の出力処理が正常に終了したか否かを判定する。出力制御部２０１は、ＦＡＸ文書の出力処理が終了していないと判定した場合（ステップＳ２０３、「Ｎｏ」）、処理をステップＳ２０３に戻す。
【００５７】
一方、出力制御部２０１は、ＦＡＸ文書の出力処理が終了したと判定した場合（ステップＳ２０３、「Ｙｅｓ」）、処理をステップＳ２０４に移行させる。なお、出力制御部２０１は、出力動作として複数が設定されている場合、設定される全ての出力動作による出力処理が終了した場合に、ＦＡＸ文書の出力処理が終了したと判定する。
【００５８】
なお、ステップＳ２０３における出力動作の終了判定処理は、出力動作が終了したか否かを単に判定する処理であって、出力動作が正常に終了したか否かを判定するものではない。例えば、出力制御部２０１は、ステップＳ２００で受信し文書管理部２０５によりＲＡＭ２１０２あるいはストレージ２１２０に記憶されたＦＡＸ文書が、ＲＡＭ２１０２あるいはストレージ２１２０から全て読み出された場合に、出力動作が終了したと判定することが考えられる。
【００５９】
次のステップＳ２０４で、出力制御部２０１は、出力結果と出力方法（出力動作）とを関連付けて、例えばＲＡＭ２１０２に記憶する。表２は、出力結果と出力動作とを関連付けて格納する出力結果テーブルの例を示す。
【００６０】
【表２】
2019165341.tif 000004
【００６１】
表２の例では、３件のＦＡＸ文書の受信に対する出力結果が、ステップＳ２００でＦＡＸ文書の受信時に連番で付与されたジョブＮｏにより識別されて格納されている。ジョブＮｏ「１」および「２」は、それぞれ「印刷」が出力動作として設定されており、ジョブＮｏ「１」においては出力結果が「正常」とされ、正常に出力できたことが示されている。一方、ジョブ「２」においては出力結果が「異常」とされ、正常に出力ができなかったことが示されている。
【００６２】
また、ジョブＮｏ「３」は、出力動作として「印刷」および「転送」の２種類が設定され、これらのうち出力動作「転送」については、転送先を示す情報（この例ではメールアドレス）が付加される。また、ジョブＮｏ「３」において、出力動作「印刷」は、正常に出力でき、出力動作「転送」は、正常に出力できなかったことが示されている。
【００６３】
すなわち、例えば、出力動作が印刷である場合、印刷用紙のジャムやトナー切れなどで、印刷を正常に終了できない事態が起こり得る。また、出力動作が蓄積の場合、蓄積先の容量の関係で蓄積処理を正常に終了できない事態が起こり得る。さらに、出力動作が転送の場合、ネットワーク障害などにより転送処理を正常に終了できない事態が起こり得る。そのため、出力制御部２０１は、ステップＳ２０１で決定された各出力先でのステータスを確認し、ＦＡＸ文書の出力が正常に終了したか否かを判定する。
【００６４】
ステップＳ２０５で、出力制御部２０１は、設定された全ての出力動作において正常に出力されたか否かを判定する。出力制御部２０１は、正常に出力されたと判定した場合（ステップＳ２０５、「Ｙｅｓ」）、処理をステップＳ２０６に移行させ、文書管理部２０５に対して、ステップＳ２００で受信され記憶されたＦＡＸ文書を削除するよう、指示する。一方、出力制御部２０１は、設定された出力動作のうち正常に出力されなかった出力動作が存在した場合、正常に出力されなかったと判定し（ステップＳ２０５、「Ｎｏ」）、処理をステップＳ２０７に移行させ、文書管理部２０５に対して、ステップＳ２００で受信され記憶されたＦＡＸ文書を記憶しておくよう、指示する。
【００６５】
図９のフローチャートによる処理の後、ユーザが任意のタイミングで操作パネルに対して所定の操作を行うことで、ＦＡＸ文書の受信結果を示す受信結果表示画面が操作パネルに表示される。図１０は、実施形態に適用可能な受信結果表示画面の例を示す図である。
【００６６】
図１０において、受信結果表示画面３５０は、受信されたＦＡＸ文書の一覧が表示する一覧表示部３５００を含み、一覧表示部３５００は、出力結果表示部３５０１と、再出力指示部３５０２と、を含む。ＵＩ部２０３は、出力結果テーブルを参照して、この一覧表示部３５００を表示させる。一覧表示部３５００において、出力結果表示部３５０１は、一覧表示部３５００に表示される各ＦＡＸ文書に対する出力結果が表示される。また、再出力指示部３５０２は、出力結果表示部３５０１において「異常」とされたＦＡＸ文書の再出力を指示するための再出力ボタン３５０３1、３５０３2が表示される。
【００６７】
図１１は、実施形態に係る、受信結果表示画面３５０において再出力ボタン３５０３1、３５０３2が操作された場合の処理を示す一例のフローチャートである。ＵＩ部２０３は、例えば再出力ボタン３５０３1あるいは３５０３2（再出力ボタン３５０３1とする）が操作され、再出力動作設定が指示されると（ステップＳ３００）、次のステップＳ３０１で、再出力動作設定画面を操作パネルに表示させる。
【００６８】
図１２は、実施形態に係る再出力動作設定画面の例を示す図である。図１２において、再出力動作設定画面４００は、プレビュー部４０００と、再出力動作設定部４０１０と、設定内容の決定およびキャンセルをそれぞれ指示するためのボタン４０２０および４０２１と、を含む。ＵＩ部２０３は、文書管理部２０５から、操作された再出力ボタン３５０３1に対応するＦＡＸ文書を取得し、取得したＦＡＸ文書の代表的なページ（例えば第１ページ）の画像をプレビュー部４０００に表示させる。
【００６９】
再出力動作設定部４０１０は、当該ＦＡＸ文書の出力が失敗した（異常だった）ことを示すメッセージ４０１１と、当該ＦＡＸ文書を再出力する出力動作を設定する各ボタン（設定項目）４０１２〜４０１５と、を含む。ＵＩ部２０３は、出力結果テーブルを参照し、当該ＦＡＸ文書の出力を失敗した出力動作（この場合は印刷）を示す情報を含めて、メッセージ４０１１を表示させる。なお、このメッセージ４０１１の表示は省略可能である。
【００７０】
再出力動作設定部４０１０において、ボタン４０１２は、再出力動作として、当該ＦＡＸ文書を、ＭＦＰ２０内の例えばストレージ２１２０に蓄積する動作を設定するためのボタンである。ボタン４０１３は、再出力動作として、当該ＦＡＸ文書を、ＭＦＰ２０の外部に転送する動作を設定するためのボタンである。ボタン４０１４は、再出力動作として、当該ＦＡＸ文書を、ＭＦＰ２０のプリンタユニット２１３２により印刷する動作を設定するためのボタンである。ボタン４０１５は、当該ＦＡＸ文書の削除を指示するためのボタンである。
【００７１】
ここで、ＵＩ部２０３は、再出力動作として、当該ＦＡＸ文書の出力を失敗した出力動作（この場合は印刷）を設定するためのボタン（この場合はボタン４０１４）をグレーアウト表示させる。例えば、ＵＩ部２０３は、図１１（ｂ）のフローチャートに従い、出力結果テーブルを参照し、当該ＦＡＸ文書に関し、出力結果が「異常」である出力動作を抽出する（ステップＳ３０００）。次に、ＵＩ部２０３は、ステップＳ３０００で抽出された出力動作を設定するためのボタンを、グレーアウト表示させる（ステップＳ３００１）。
【００７２】
このように、ＦＡＸ文書の出力を失敗した出力動作を設定するためのボタンをグレーアウト表示させることで、ユーザは、再出力動作を実行した場合に失敗する可能性がある出力動作を容易に判別できる。したがって、再出力動作で再度出力が失敗する事態を防ぐことが可能である。
【００７３】
なお、上述のメッセージ４０１１を表示させる場合は、失敗した出力動作に対応するボタンのグレーアウト表示を省略することができる。この場合であっても、ユーザは、再出力動作を実行した場合に失敗する可能性がある出力動作を容易に判別できる。
【００７４】
図１１（ａ）のフローチャートにおいて、ステップＳ３０２以降の処理は、上述した図５の受信動作設定処理のフローチャートのステップＳ１０１以降の処理と略同一である。すなわち、図１１（ａ）において、ステップＳ３０２で、ＵＩ部２０３は、ボタン４０１２が操作され蓄積動作が指定されたか否かを判定する。ボタン４０１２が操作されていないと判定した場合（ステップＳ３０２、「Ｎｏ」）、処理をステップＳ３０４に移行させる。一方、ＵＩ部２０３は、ボタン４０１２が操作されたと判定した場合（ステップＳ３０２、「Ｙｅｓ」）、処理をステップＳ３０３に移行させ、ＯＰ２２の操作パネルに蓄積先指定画面を表示させる。ユーザは、蓄積先指定画面の表示に応じてＦＡＸ文書の蓄積先を指定する。ＵＩ部２０３は、蓄積先の指定が完了すると、ＯＰ２２の操作パネルの表示を、図１２の再出力動作設定画面４００に戻し、処理をステップＳ３０４に移行させる。
【００７５】
ステップＳ３０４で、ＵＩ部２０３は、ボタン４０１３が操作され転送動作が指定されたか否かを判定する。ボタン４０１３が操作されていないと判定した場合（ステップＳ３０４、「Ｎｏ」）、処理をステップＳ３０６に移行させる。一方、ＵＩ部２０３は、ボタン４０１３が操作されたと判定した場合（ステップＳ３０４、「Ｙｅｓ」）、処理をステップＳ３０５に移行させ、ＯＰ２２の操作パネルに転送先設定画面を表示させる。
【００７６】
図１３は、実施形態に係る、再出力動作設定時の転送先設定画面の例を示す図である。なお、図１３において、上述した図８と共通する部分については同一の符号を付して、詳細な説明を省略する。図１３において、転送先設定画面４１０は、図８に示した転送先指定画面３２０と略同一の構成を有し、転送先指定部３２０１と、転送先の指定に係るボタン３２０２〜３２０４と、この転送先指定画面３２０における設定内容を取消および決定するためのボタン３２０５および３２０６と、が設けられる。また、転送先設定画面４１０は、転送に失敗した転送先を示すメッセージ４１００が表示される。このメッセージ４１００の表示は、省略が可能である。
【００７７】
図１３に示す転送先設定画面４１０では、登録される転送先を指定する各ボタンのうち、転送に失敗した転送先を指定するボタン４１０１がグレーアウト表示とされている。ＵＩ部２０３は、上述した図１１（ｂ）の処理と同様に、出力結果テーブルを参照し、当該ＦＡＸ文書に関し、出力結果が「異常」である出力動作を抽出する（ステップＳ３０００）。抽出した出力動作が「転送」である場合に、ＵＩ部２０３は、出力結果テーブルの当該出力動作に付加された転送先を示す情報に基づきアドレス帳を参照し、対応するボタン４１０１をグレーアウト表示させる（ステップＳ３００１）。
【００７８】
図１１（ａ）のフローチャートの説明に戻り、ステップＳ３０６で、ＵＩ部２０３は、ボタン４０１４が操作され印刷動作が指定されたか否かを判定する。ボタン４０１４が操作されていないと判定した場合（ステップＳ３０６、「Ｎｏ」）、処理をステップＳ３０８に移行させる。一方、ＵＩ部２０３は、ボタン４０１４が操作されたと判定した場合（ステップＳ３０６、「Ｙｅｓ」）、処理をステップＳ３０７に移行させ、ＯＰ２２の操作パネルに、所定の印刷設定画面を表示させる。ＵＩ部２０３は、印刷設定画面における設定が終了すると、操作パネルの表示を再出力動作設定画面４００に戻し、処理をステップＳ３０８に移行させる。
【００７９】
ステップＳ３０８で、ＵＩ部２０３は、転送先の指定操作が終了したか否かを判定する。ＵＩ部２０３は、再出力動作設定画面４００においてボタン４０２０および４０２１の何れかが操作された場合に、転送先の指定操作が終了したと判定する。ＵＩ部２０３は、転送先の指定操作が終了していないと判定した場合（ステップＳ３０８、「Ｎｏ」）、処理をステップＳ３０２に戻す。一方、ＵＩ部２０３は、転送先の指定操作が終了したと判定した場合（ステップＳ３０８、「Ｙｅｓ」）、処理をステップＳ３０９に移行させる。
【００８０】
ボタン４０２０の操作に応じてステップＳ３０９に移行した場合、ＵＩ部２０３は、上述のステップＳ３０２〜ステップＳ３０７での設定内容を、ＦＡＸ文書の再出力動作の設定情報として、ＦＡＸ文書の再出力動作を実行するよう、出力制御部２０１に指示する。
【００８１】
一方、ＵＩ部２０３は、ボタン４０２１の操作に応じてステップＳ３０９に移行した場合には、ステップＳ３０２〜ステップＳ３０９での設定内容を破棄する。この場合、ＦＡＸ文書の再出力動作は、実行されない。なお、再出力動作設定画面４００において、ボタン４０１５が設定された場合は、ＵＩ部２０３は、文書管理部２０５に対して、当該ＦＡＸ文書を削除するよう指示する。この場合には、再出力動作は、実行されない。
【００８２】
なお、上述で、ＦＡＸ文書の出力動作が失敗したとしてグレーアウト表示された出力動作や転送先は、再出力動作の対象として、再出力動作設定画面４００や転送先設定画面４１０において指定することが可能である。すなわち、出力動作や転送先を指定するボタンのグレーアウト表示は、その出力動作や転送先において、出力動作が失敗したことを示す表示であって、実際の出力動作などを禁止するものではない。
【００８３】
［実施形態の変形例］
次に、実施形態の変形例について説明する。図１４は、実施形態の変形例に係る転送先指定画面の例を示す図である。図１４において、転送先指定画面４２０は、図８を用いて説明した転送先指定画面３２０と対応するもので、図５のステップＳ１０４にてＵＩ部２０３により操作パネルに表示される画面である。なお、図１４において、図８と共通する部分には同一の符号を付して、詳細な説明を省略する。
【００８４】
図１４に示されるように、実施形態の変形例に係る転送先指定画面４２０は、図８の転送先指定画面３２０に対して転送方法を指定するためのタブ４２００ａ〜４２００ｄが設けられ、転送先指定部３２０１に指定される転送先を、転送方法毎に選択可能となっている。ＵＩ部２０３は、アドレス帳を参照し、アドレス帳に含まれるメールアドレス、ＦＡＸ番号、フォルダパスなどに基づき登録番号を分類する。ＵＩ部２０３は、各タブ４２００ａ〜４２００ｄを選択することにより表示される、各タブ４２００ａ〜４２００ｄにそれぞれ対応する転送先指定部３２０１に、分類に従い各転送先（メールアドレス、ＦＡＸ番号、フォルダパス、など）を一覧表示させる。
【００８５】
図１５は、実施形態の変形例に係る再出力動作設定画面４３０の例を示す図である。なお、図１５において、上述の図１４と対応する部分には共通の符号を付して、詳細な説明を省略する。実施形態の変形例に係る再出力動作設定画面４３０は、特定の出力動作による出力が失敗した場合に、この特定の出力動作に係るタブ（この例ではタブ４２００ｃ）がグレーアウト表示とされる。また、再出力動作設定画面４３０は、転送に失敗した出力動作を示すメッセージ４３００が表示される。このメッセージ４３００の表示は、省略が可能である。
【００８６】
これにより、ユーザは、再出力動作を実行した場合に失敗する可能性がある出力動作を容易に判別できる。したがって、再出力動作で再度出力が失敗する事態を防ぐことが可能である。
【００８７】
また、このようにタブ４２００ａ〜４２００ｄにより出力動作を分類して転送先を一覧表示する場合であっても、実施形態において図８を用いて説明したように、出力動作を失敗した転送先のみグレーアウト表示として指定を制限し、各タブ４２００ａ〜４２００ｄはグレーアウト表示せず出力動作自体の指定は制限しないようにしてもよい。
【００８８】
なお、出力動作の選択を制限するか、出力に失敗した転送先のみ選択を制限するかについて、次のように制御する。例えば、出力制御部２０１およびＵＩ部２０３は、１の出力動作に対して複数の転送先が指定された場合に、全ての転送先への転送が失敗した場合に、当該出力動作の選択を制限し、一部の転送先への転送が失敗した場合に、当該出力動作の選択を制限せず、転送を失敗した転送先のみ選択制限（グレーアウト表示）するように制御する。また、出力制御部２０１およびＵＩ部２０３は、１の出力方法に１つの転送先が指定された場合に、当該転送先への転送が失敗した場合に、当該出力動作の選択を制限せず、転送を失敗した転送先のみ選択制限をするように制御する。
【００８９】
なお、上述の各実施形態は、本発明の好適な実施の例ではあるがこれに限定されるものではなく、本発明の要旨を逸脱しない範囲において種々の変形による実施が可能である。
【符号の説明】
【００９０】
１０  公衆回線網
１１  インターネット
１２  ネットワーク
２０  ＭＦＰ
２２  ＯＰ
２３，２１２０  ストレージ
３０  ＦＡＸ送信機
３１  ＦＡＸ受信機
４０  ＰＣ
４１  ファイルサーバ
２００  ＦＡＸ通信部
２０１  出力制御部
２０２  出力部
２０３  ＵＩ部
２０４  出力先情報管理部
２０５  文書管理部
３００  受信動作設定画面
３１０，４１０  転送先設定画面
３２０，４２０，４３０  転送先指定画面
３５０  受信結果表示画面
４００  再出力動作設定画面
【先行技術文献】
【特許文献】
【００９１】
【特許文献１】特開２０１２−０３９４７１号公報
【図１】
2019165341.tif 000005
【図２】
2019165341.tif 000006
【図３】
2019165341.tif 000007
【図４】
2019165341.tif 000008
【図５】
2019165341.tif 000009
【図６】
2019165341.tif 000010
【図７】
2019165341.tif 000011
【図８】
2019165341.tif 000012
【図９】
2019165341.tif 000013
【図１０】
2019165341.tif 000014
【図１１】
2019165341.tif 000015
【図１２】
2019165341.tif 000016
【図１３】
2019165341.tif 000017
【図１４】
2019165341.tif 000018
【図１５】
2019165341.tif 000019